(57)【特許請求の範囲】
【請求項１】
サービス中の基地局と通信する移動局と隣接した複数の基地局と前記基地局を制御するための制御局とを有する移動通信システムの信号送信方法において、
前記移動局が前記基地局から受信された信号の受信強度を測定し、前記受信された信号の測定結果をサービス中の基地局へ報告するステップと、
前記サービス中の基地局が前記受信された信号の測定結果を前記制御局へ報告するステップと、
前記受信された信号の測定結果に基づいた活動基地局、各活動基地局ＩＤ番号、及び前記活動基地局の活動集合カテゴリーを決定して活動集合カテゴリーに変化がある場合、前記制御局が前記ＩＤ番号を前記基地局へ送信するステップと、
前記サービス中の基地局が前記基地局ＩＤ番号を前記移動局へ送信するステップと、
前記移動局が一番高い受信電力レベルを有する基地局を選択し、前記選択された基地局のＩＤ番号に該当するＩＤ符号を生成するステップと
からなることを特徴とする移動通信システムの信号送信方法。
【請求項２】
前記活動集合は、基地局ＩＤ番号０及び１の第１カテゴリー、基地局ＩＤ番号０，１，２，及び３の第２カテゴリー、及び基地局ＩＤ番号０，１，２，３，４，５，６，及び７の第３カテゴリーのうちの１つに区分され、前記基地局ＩＤ番号に対して基地局ＩＤ符号は、下記表のように与えられる請求項１記載の方法。
【表１】
0003550127.tif 000017
【請求項３】
前記活動集合は、基地局ＩＤ番号０及び１の第１カテゴリー、基地局ＩＤ番号０，１，２，及び３の第２カテゴリー、及び基地局ＩＤ番号０，１，２，３，４，５，６，及び７の第３カテゴリーのうちの１つに区分され、前記基地局ＩＤ番号に対して基地局ＩＤ符号は、下記表のように与えられる請求項１記載の方法。
【表２】
0003550127.tif 000018
【請求項４】
サービス中の基地局と通信している移動局と隣接した複数の基地局と前記基地局を制御するための制御局とを有する移動通信システムのサイト選択ダイバシティー方法において、
前記移動局が前記基地局から受信された信号の受信強度を測定し、前記受信された信号の測定結果をサービス中の基地局へ報告するステップと、
前記サービス中の基地局が前記受信された信号の測定結果を前記制御局へ報告するステップと、
前記制御局が前記受信された信号の測定結果に基づいて前記移動局の現在の活動集合カテゴリーを決定するステップと、
前記制御局が前記現在の活動集合カテゴリーと以前の活動集合カテゴリーとを比較するステップと、
前記以前の活動集合カテゴリーが前記現在の活動集合カテゴリーより大きい場合、前記制御局が前記現在の活動集合の異なる基地局に以前の活動集合から削除された基地局の認識番号を再び割り当てるステップと、
前記制御局が前記再び割り当てられた基地局の認識番号を異なる基地局へ送信し、前記現在の活動集合カテゴリーを前記現在の活動集合の基地局に送信するステップと
からなることを特徴とする移動通信システムのサイト選択ダイバシティー方法。
【請求項５】
前記移動局が前記再び割り当てられた基地局認識番号及び前記現在の活動集合カテゴリーを受信し、一番高い受信電力レベルを有する基地局を選択し、前記選択された基地局の認識番号に該当する認識符号を生成し、基地局認識符号を送信するステップをさらに備える請求項４記載の方法。
【発明の詳細な説明】
【０００１】
【発明の属する技術分野】
本発明は、移動通信システムのハンドオーバー方法に関し、特に、移動局がハンドオーバーに対するサイトを選択すべき場合、基地局認識（ｉｄｅｎｔｉｆｉｃａｔｉｏｎ；以下、ＩＤと称する。）符号を基地局へ割り当てる方法に関する。
【０００２】
【従来の技術】
移動局がハンドオーバー地域に進入する場合、移動局は、サービス中の基地局の以外に複数の隣接基地局と通信できるハンドオーバー過程を遂行できる。前記ハンドオーバー過程を遂行するために、移動局は、複数の隣接基地局から信号を受信し、各基地局は、移動局へ同一のデータを送信し、これによる干渉は、システム性能の低下を引き起こす。
【０００３】
前記のような問題点を解決するために、ハンドオーバーの遂行のとき、基地局の選択送信方式（Ｓｉｔｅ Ｓｅｌｅｃｔｉｏｎ Ｄｉｖｅｒｓｉｔｙ Ｔｒａｎｓｍｉｔ ：ＳＳＤＴ）を使用する。前記ＳＳＤＴ方式は、移動局が前記ハンドオーバーに参加している複数の基地局（活動集合）のうちで受信性能が一番よいと判断される基地局を選択した後、前記選択された基地局を前記ハンドオーバーに参加している複数の基地局に知らせ、前記選択された基地局からのみデータを受信する。前記選択された基地局からのみ信号を受信することは干渉を減少させる。また、移動局が高い信号強度を有する信号を受信する基地局を選択することによってハンドオーバーにかかる時間が短縮させられる。
【０００４】
図１は、ＳＳＤＴの手順を示す。 図１を参照すると、まず、基地局が移動局と通信している間、基地局網（Ｒａｄｉｏ Ａｃｃｅｓｓ Ｎｅｔｗｏｒｋ：ＲＡＮ）は、移動局に隣接基地局から受信された信号強度を測定するように要求する。前記移動局は、受信された信号強度を測定し、その測定結果を基地局網へ報告する。この後、前記基地局網は、その測定結果に基づいたソフトハンドオーバーを実行させ、また、ＳＳＤＴ機能を提供するか否かを判断する。前記ＳＳＤＴを遂行する以前に、基地局網は活動集合（ａｃｔｉｖｅ ｓｅｔ）を設定した後、複数の基地局にＳＳＤＴが始まり、前記基地局が活動集合内にあることを知らせる。複数の基地局から確認を受信すると、前記基地局網は、複数の基地局にＳＳＤＴ動作時間を知らせ、移動局にはＳＳＤＴ動作時間及び活動集合を知らせる。そうすると、活動集合の複数の基地局及び移動局は、動作時間にＳＳＤＴを遂行し始める。この後、移動局は受信を受けようとする、すなわち、 信号の品質が一番よいと判断される基地局を“主要（ｐｒｉｍａｒｙ）基地局”として設定し、活動集合内の他の基地局は、“主要ではない（ｎｏｎ−ｐｒｉｍａｒｙ）基地局”として設定する。前記移動局は、主要基地局のＩＤ番号を符号化して活動集合内のすべての基地局へ送信し、これにより、該当基地局は、ＩＤ符号を復号化して主要基地局を知るようになる。前記主要基地局は、データ送信を継続し、主要ではない基地局はデータ送信を中止する。
【０００５】
ＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）において、例えば、前記複数の基地局は、逆方向チャンネルＤＰＣＣＨ （Ｄｅｄｉｃａｔｅｄ Ｐｈｙｓｉｃａｌ Ｃｏｎｔｒｏｌ Ｃｈａｎｎｅｌ）を通じて前記基地局ＩＤ符号を受信する。図２にＤＰＣＣＨフレームの構造を示す。前記ＤＰＣＣＨのフレームは １５個のスロットを含み、各スロットは、ＰＩＬＯＴ、ＴＦＣＩ（Ｔｒａｎｓｐｏｒｔ Ｆｏｒｍａｔ Ｃｏｍｂｉｎａｔｉｏｎ Ｉｎｄｉｃａｔｏｒ）、ＦＢＩ（Ｆｅｅｄ Ｂａｃｋ Ｉｎｆｏｒｍａｔｉｏｎ）、及びＴＰＣ（Ｔｒａｎｐｏｒｔ Ｐｏｗｅｒ Ｃｏｎｔｒｏｌ）の４個のフィールドからなる。前記基地局ＩＤ符号は、前記ＦＢＩフィールドを利用して送信される。
【０００６】
主要基地局がＩＤ符号を復号化するときエラーを発生させることができる。デコーディングエラーは、主要基地局として指定されなかったことを知らないから、主要基地局でデータ送信の中断を引き起こす。主要ではない基地局では、該当基地局が主要基地局として指定されたことについて正確に認識するようになると、データ送信を中断する。従って、前記移動局と通信中のすべての基地局がデータ送信を中断し、その結果、呼を中断するようになる。
【０００７】
従って、ハンドオーバー領域で通信するための１つの基地局を選択するＳＳＤＴ 動作の遂行のうち主要基地局を表すＩＤ符号の設計がかなり重要である。現在、ＩＤ符号の設計のとき相加性白色ガウス雑音（Ａｄｄｉｔｉｖｅ Ｗｈｉｔｅ Ｇａｕｓｓｉａｎ Ｎｏｉｓｅ： 以下、ＡＷＧＮと称する。）を考慮する。このような状況で、ＩＤ符号は、全体の符号長さに関連のあるハミング距離（Ｈａｍｍｉｎｇ ｄｉｓｔａｎｃｅ）に基づいて設計される。
【０００８】
従来のＩＤ符号の問題は、これらがＡＷＧＮ環境でのみ設計されることにある。前記ＩＤ符号は、フェーディング現象が存在する実際移動通信環境でよい性能を示さない。これは、全体のＩＤ符号のハミング距離に基づいたＩＤ符号の設計が不適であることを意味する。フェーディング現象がない場合は、デコーディングエラーが発生しやすいＩＤ符号の位置が均一の確率で分布すると仮定できる。しかし、フェーディング現象が発生する場合はそのように仮定できない。そこで、フェーディングチャンネルを考慮してＩＤ符号を設計することが望ましい。一方、移動通信システムにおいて、ハンドオーバーをより効率的に遂行するためには、活動集合を頻繁に更新しなければならない。
【０００９】
【発明が解決しようとする課題】
従って、本発明の目的は、移動通信システムにおいて、フェーディング現象を考慮して主要基地局を表す基地局ＩＤ符号が生成できる方法を提供することにある。
【００１０】
本発明の他の目的は、デコーディングエラーが減少させられるＩＤ符号を使用して主要基地局として基地局が選択できる方法を提供することにある。
【００１１】
本発明のまた他の目的は、移動通信システムにおいて、ハンドオーバーの遂行のとき、移動局が複数の基地局からの信号強度を測定して受信性能が一番よいと判断される基地局を選択するにおいて、活動集合の変更に適合した基地局のＩＤ符号が再び割り当てられる方法を提供することにある。
【００１２】
本発明のさらに他の目的は、ＳＳＤＴの性能を向上させるための信号の新たな伝送過程を提供することにある。
【００１３】
前記のような目的を達成するために、サービス中の基地局と通信する移動局と隣接した複数の基地局と前記基地局を制御するための制御局とを有する移動通信システムの信号送信方法において、前記移動局が前記基地局から受信された信号の受信強度を測定し、前記受信された信号の測定結果をサービス中の基地局へ報告するステップと、前記サービス中の基地局が前記受信された信号の測定結果を前記制御局へ報告するステップと、前記受信された信号の測定結果に基づいた活動基地局、各活動基地局ＩＤ番号、及び前記活動基地局の活動集合範疇を決定して活動集合範疇に変化がある場合、前記制御局が前記ＩＤ番号を前記基地局へ送信するステップと、前記サービス中の基地局が前記基地局ＩＤ番号を前記移動局へ送信するステップと、前記移動局が一番高い受信電力レベルを有する基地局を選択し、前記選択された基地局のＩＤ番号に該当するＩＤ符号を生成するステップとからなることを特徴とする。
【００１４】
また、前記のような目的を達成するために、サービス中の基地局と通信している移動局と隣接した複数の基地局と前記基地局を制御するための制御局とを有する移動通信システムのサイト選択ダイバシティー方法において、前記移動局が前記基地局から受信された信号の受信強度を測定し、前記受信された信号の測定結果をサービス中の基地局へ報告するステップと、前記サービス中の基地局が前記受信された信号の測定結果を前記制御局へ報告するステップと、前記制御局が前記受信された信号の測定結果に基づいて前記移動局の現在の活動集合範疇を決定するステップと、前記制御局が前記現在の活動集合範疇と以前の活動集合範疇とを比較するステップと、前記以前の活動集合範疇が前記現在の活動集合範疇より大きい場合、前記制御局が前記現在の活動集合の異なる基地局に以前の活動集合から削除された基地局の認識番号を再び割り当てるステップと、前記制御局が前記再び割り当てられた基地局の認識番号を異なる基地局へ送信し、前記現在の活動集合範疇を前記現在の活動集合の基地局に送信するステップとからなることを特徴とする。
【００１５】
【発明の実施の形態】
以下、本発明に従う好適な実施形態を添付図面を参照しつつ詳細に説明する。下記説明において、本発明の要旨のみを明瞭にするために公知の機能及び構成に対する詳細な説明は省略する。
【００１６】
移動局が基地局ＩＤ番号を符号化した後専用制御チャンネルＤＰＣＣＨのＦＢＩフィールドを通じて伝送すると仮定すると、本発明の実施形態は、他のシステムにも適用可能であるが、ＩＭＴ−２０００システムと関連して説明されるであろう。
【００１７】
本発明は、ダイレクトシーケンス（ＤＳ）−ＣＤＭＡセルラー移動通信システムにおいて、ソフトハンドオーバーが遂行される間、順方向干渉を減少させるために特定の基地局を選択するときフェーディング特性に適合したデコーディングエラーを最少に発生させる基地局ＩＤ符号の設計に関する。
【００１８】
図３は、基地局の選択のとき、移動局の基本的な構造を示す。図３を参照すると、受信器３０２は、アンテナ３０３を通じて受信された信号を処理する。主要基地局選択器３０１は、受信器３０２から活動集合の該当基地局の信号を受信して主要基地局を選択する。主要基地局ＩＤ符号発生器３０４は、主要基地局のＩＤ番号に該当する符号を生成させる。このとき、基地局ＩＤ符号は、移動通信環境のフェーディング特性を考慮して設計される。送信器３０５は、基地局ＩＤ符号を他のデータと混合してその結果信号を送信する。
【００１９】
図４は、前記送信器３０５の詳細なブロック図である。図４を参照すると、基地局ＩＤ符号発生器４００は、ハンドオーバーが遂行される間通信するための主要基地局のＩＤ番号を符号化する。マルチプレクサー（ＭＵＸ）４０１は、所定のフレーム構造で基地局ＩＤ符号を他の信号とマルチプレキングする。ここで、前記他の信号は、パイロット、ＴＦＣＩ、及びＴＰＣなどを含むことができる。従って、前記マルチプレキシングされた基地局ＩＤ符号は、ＦＢＩフィールドを通じて送信される。前記ＭＵＸ４０１の出力は、図２に示した構造でＤＰＣＣＨメッセージ４０２へ送信される。前記乗算器４０６は、前記ＤＰＣＣＨメッセージ４０２と前記ＤＰＣＣＨに割り当てられたチャンネル区分符号（ｃｈａｎｎｅｌｉｚａｔｉｏｎ ｃｏｄｅ）Ｃｃｈ１とを乗じて拡散ＤＰＣＣＨ信号を生成させる。乗算器４０７は、ＤＰＣＣＨの場合、前記拡散したＤＰＣＣＨ信号と利得制御信号Ｇ１とを乗じる。
【００２０】
また、乗算器４０８、４１０、及び４１２は、対応するデータチャンネルメッセージＤＰＤＣＨ１４０３、ＤＰＤＣＨ２４０４、及びＤＰＤＣＨ３４０５とそれぞれのチャンネル区分符号Ｃｃｈ２、Ｃｃｈ３、及びＣｃｈ４とを乗じて、前記専用データチャンネルメッセージを拡散させる。乗算器４０９、４１１、及び４１３は、前記拡散した専用データチャンネル信号を対応する利得制御信号Ｇ２、Ｇ３、及びＧ４のそれぞれと乗じる。
【００２１】
第１合算器４１４は、乗算器４０７及び４０９から受信されたＤＰＣＣＨ及びＤＰＤＣＨ１信号を合わせてＩチャンネル信号として出力する。第２合算器４１５は、乗算器４１１及び４１３から受信されたＤＰＤＣＨ２及びＤＰＤＣＨ３信号を合わせてＱチャンネル信号として位相遷移器４１６へ出力する。加算器４１７は、第１合算器４１４と位相遷移器４１６との出力を加算して複素信号（Ｉ＋ｊＱ）を出力する。乗算器４１８は、前記複素信号と移動局に割り当てられたスクランブリングコードＣｓｃｒａｍｂｌｅとを乗じる。信号分配器４１９は、乗算器４１８から受信された複素信号を実数成分及び虚数成分に分ける。第１フィルタ４２０及び第２フィルタ４２１は、実数成分及び虚数成分をフィルタリングし、乗算器４２２及び４２３は、第１フィルタ４２０及び第２フィルタ４２１の出力と該当搬送波とをそれぞれ乗じる。加算器４２４は、乗算器４２２及び４２３の出力を加算する。
【００２２】
図５は、基地局ＩＤ符号発生器４００の構造を示す。前記基地局ＩＤ符号発生器４００は、符号の長さが短い場合、ルックアップテーブルを利用して実現されることができる。
【００２３】
図５を参照すると、ａ０，ａ１，．．．，ａｎ−１は、ＭＳＢ（Ｍｏｓｔ Ｓｉｇｎｉｆｉｃａｎｔ Ｂｉｔ）としてのａｎ−１を有する二進数の形態で表された基地局ＩＤ番号である。例えば、基地局ＩＤ番号が６である場合、ａ０＝０、ａ１＝１、及びａ２＝１である。乗算器５０１は、すべて１である符号（ｃｏｄｅ ｗｉｔｈ ａｌｌ １ｓ）と基地局ＩＤ番号ａ０の第一シンボルとを乗じる。乗算器５０２は、第１基本符号と基地局ＩＤ番号ａ１の第２シンボルとを乗じる。乗算器５０３は、（ｎ−１）番目基本符号と基地局ＩＤ番号のｎ番目シンボルとを乗じる。加算器５０４は、乗算器５０１〜５０３から受信された積が二進演算で加えられるようにする。従来の方法と比較して、本発明による基地局ＩＤ符号発生器４００は、次のような方法にて基本符号を決定することによりフェーディング現象が発生する場合、特に優秀な性能を有するようになる。
【００２４】
本発明によると、基地局ＩＤ符号をフェーディング環境に適合するように設計する。まず、ディジット０〜２ｎの二進数として表されたＳＳＤＴの基地局ＩＤ番号（ａｎ−１，．．．，ａ１，ａ０）を入力する場合、乗算器５０１は、ａ０とすべて１を有するビットシーケンスとを乗じ、乗算器５０２は、ａ１と１または−１の各ビット値を有するビットシーケンスとを乗じる。このような方法で、他の乗算器も、掛け算を遂行する。加算器５０４は、乗算器５０１〜５０３の出力を排他的加算する。
【００２５】
基本符号（Ｂａｓｉｃ ｃｏｄｅｗｏｒｄ）は、図５に示した基地局ＩＤ符号発生器を設計するための一番重要な要素である。基地局ＩＤ番号の数、符号長さ、及びスロット当たり符号の長さに従って設計が可能である。基本符号が生成され符号の長さがあんまり長くない場合、基地局ＩＤ符号はルックアップテーブルにリストされることができ、メモリに貯蔵されることができる。
【００２６】
多数の符号ビットが１つのスロットに伝送される場合、基本符号をＣｉ（ｉ＝０，１，．．．，ｎ−１）とし、ｉ番目スロットに伝送された基地局ＩＤ番号ｌの符号ベクトルをＡｉ，ｌ（ｉ＝０，１，Ｉ−ｌ，ｌ＝０，１，．．．，Ｎ−１）と仮定する。Ｃｉ及びＡｉ，ｌは、下記のような方法で求められる。
１． 符号化される集合での元素個数を定める。このときの個数をＮとすれば、元素個数Ｎは下記＜数１＞を満足する。
【数１】
0003550127.tif 000002
２． ＩＤ符号の長さを定める。要求された符号の長さがＤである場合、生成された符号の長さＬは下記＜数２＞のようである。
【数２】
0003550127.tif 000003
要求された符号の長さより発生した符号の長さが長い場合は、生成された符号の後から順次的に削除する。
３． １つのスロットに送信される符号ビットが幾つであるかを決定する。このとき、スロット当たり符号ビットの数をｆとすれば、下記＜数３＞を満足するｆは自然数である。
【数３】
0003550127.tif 000004
ここで、［ｘ］は、ｘより大きいか同じ整数である。
４． 下記＜数４＞のようなＮ×Ｌ行列を構成する。
【数４】
0003550127.tif 000005
５． 下記＜数５＞のような行列を作る。
【数５】
0003550127.tif 000006
このとき、 ｍ＝１，２，３， ．．．，ｍ−１である。
６． そうすると、ｂｉ，ｊは下記＜数６＞のようである。
【数６】
0003550127.tif 000007
このとき、ｉ＝０，１，．．．，（Ｎ／２−１）であり、ｊは０≦Ｆｊ＋Ｑ（ｊ，ｆ） ＜Ｌ、 及びＱ（ｘ， ｙ）は、ｘをｙに割ったときの余りである。
７． 前記＜数６＞を利用すると、下記＜数７＞のような基本符号が得ることができる。
【数７】
0003550127.tif 000008
８． また、前記＜数６＞を利用してｉ番目スロットに送信された基地局ＩＤ番号の符号ベクトルＡｉ，ｌは、下記＜数８＞のように求めることができる。
【数８】
0003550127.tif 000009
【００２７】
前記＜数１＞〜＜数８＞を利用して基本符号を生成する実施形態を説明する。 全体の基地局ＩＤ番号の個数が８（Ｎ＝８）であり、符号の長さが１６（Ｄ＝１６）であり、そして、１つのスロット当たり２ビット（ｆ＝２）が送信される場合、
１． 前記＜数１＞によってｎ＝３であり、２つの基本符号が求められなければならない。
２． 前記＜数２＞によってＬ＝１６である。
３． 前記＜数３＞によってＦ＝８である。８×１６行列を形成する。
４． ８×１６行列を形成する。
５． そうすると、前記＜数５＞によって次のような行列を作ることができる。
【数９】
0003550127.tif 000010
６． 従って、行列Ｂは次のようである。
【数１０】
0003550127.tif 000011
７．  前記＜数７＞から基本符号は
Ｃ１ ＝ ００００００００１１１１１１１１
Ｃ２ ＝ ０１０１０１０１０１０１０１０１
である。
８．  ＜表３＞に示すように、前記＜数８＞を利用してＡｉ，ｌを求める。
【表３】
0003550127.tif 000012
【００２８】
前記表３は、スロット当たり２つの符号ビットで送信される長いタイプの基地局ＩＤ符号を示す。基地局ＩＤ番号６に対して、例えば、Ａｉ，６（ｉ＝０，１，．．．，７）の行列を列に読み出す。従って、一番目スロットでは｛０，１｝を第１列から読み出す。二番目スロットでは、｛１、０｝を第２列から読み出す。１つのフレームが１５個のスロットを含むので、八番目列での括弧内のビットは、１つのフレーム内で４番目伝送されるとき省略される。その結果、基地局ＩＤ番号はフレーム内で二回発生することができる。
【００２９】
表４は、スロット当たり２つの符号ビットで伝送された中間タイプの基地局ＩＤ符号及び短いタイプの基地局ＩＤ符号を示す。
【表４】
0003550127.tif 000013
【００３０】
中間タイプの場合、４つのスロットに全体の基地局ＩＤ符号が伝送される。１つのフレームが１５個のスロットからなるので、基地局ＩＤ符号は、１つのフレーム内に四回伝送されるが、最初三回目までは、４つのスロットが伝送され、四回目は３つのスロットが伝送される。そこで、中間タイプの四番目列での符号ビットは、四番目伝送されるとき省略される。短いタイプの場合、基地局ＩＤ符号を一回伝送するためには３個のスロットを必要とするので、１つのフレーム内では五回の伝送が行われる。前記のような中間タイプ及び短いタイプは、中間タイプ及び短いタイプより長いタイプの符号の後から順次的に切り捨てることによって形成される。
【００３１】
以下、基地局ＩＤ符号発生器の他の実施形態を説明する。全体の基地局ＩＤ番号の個数が８（Ｎ＝８）であり、符号の長さが１５（Ｄ＝１５）であり、基地局ＩＤ符号がスロット当たり１ビット（ｆ＝１）で送信される場合、
１． 前記＜数１＞によってｎ＝３であり、基本符号を２個求めなければならない。
２． 前記＜数２＞によってＬ＝１６である。
３． 前記＜数３＞によってＦ＝１６である。
４． ８×１６行列を形成する。
５． そうすると、前記＜数５＞によって次のような行列が作れる。
【数１１】
0003550127.tif 000014
６． 従って、行列Ｂは次のようである。
【数１２】
0003550127.tif 000015
７．  前記＜数７＞から基本符号は
Ｃ１ ＝ ０１０１０１０１０１０１０１０１
Ｃ２ ＝ ００１１００１１００１１００１１
である。
８． 前記＜数８＞を利用してＡｉ，ｌを求め、長いタイプ、中間タイプ、及び短いタイプを下記＜表５＞に示す。
【表５】
0003550127.tif 000016
【００３２】
８個の基地局ＩＤ符号は、前記表３、表４、及び表５を参照して使用される。一番目２個の基地局ＩＤ符号（ＩＤ番号０及び１の場合）、一番目４個の基地局ＩＤ符号（ＩＤ番号０〜４の場合）、及び８個の基地局ＩＤ符号は、線形ブロック符号（Ｌｉｎｅａｒ Ｂｌｏｃｋ Ｃｏｄｅ）をそれぞれ形成する。一番目２個の基地局ＩＤ符号は、符号化率に対して一番優秀な性能を有する。一番目４個の基地局ＩＤ符号は、一番目２個の基地局ＩＤ符号を含むある他のＩＤ符号集合よりさらに優秀な性能を示し、前記８個の基地局ＩＤ符号は、ある他のブロック符号より優秀な性能を示す。
【００３３】
前記のような基地局ＩＤ符号を活動集合にあるそれぞれの基地局に割り当て、基地局網は、移動局に基地局ＩＤ番号を知らせ、それぞれの基地局に活動集合内の基地局の数及び基地局ＩＤ番号に対応するＩＤ符号を知らせ、また、それぞれの基地局に活動集合内の基地局の総数、前記基地局ＩＤ番号に該当するＩＤ符号を知らせる。このとき、基地局網がそれぞれの基地局に割り当てる符号がどんな符号であるかによって前記ＳＳＤＴ方法の性能が異なる。例えば、２つの基地局Ａ及び基地局Ｂが活動集合に属する場合、基地局Ａに基地局ＩＤ番号０に対応するＩＤ符号を割り当て、基地局Ｂに基地局ＩＤ番号１に対応するＩＤ符号を割り当てることが、基地局Ａに基地局ＩＤ番号０に対応するＩＤ符号を割当て、基地局Ｂに基地局ＩＤ番号２に対応するＩＤ符号を割り当てることよりさらに優れた性能を有する。また、４つの基地局が活動集合に含まれる場合、それぞれの基地局に基地局ＩＤ番号０，１，２，及び３に対応するＩＤ符号を割り当てることが一番優れた性能を有する。
【００３４】
従って、活動集合にある基地局の数が１つである場合は、基地局ＩＤ番号０に対応するＩＤ符号を基地局に割り当てる。活動集合にある基地局の数が２つである場合は、基地局ＩＤ番号０及び１に対応するＩＤ符号をそれぞれの基地局に割り当てる。このときの前記活動集合を第１カテゴリー(Category１)と称する。一方、活動集合内の基地局の総数が３〜４である場合、それぞれの基地局には、基地局ＩＤ番号０，１，２，及び３に対応するＩＤ符号のうちのいずれか１つが割り当てられる。このときの前記活動集合を第２カテゴリー(Category２)と称する。活動集合内の基地局の総数が５〜８である場合、それぞれの基地局には、８つのＩＤ符号のうちのいずれか１つが割り当てられる。このときの前記活動集合を第３カテゴリー(Category３)と称する。前記活動集合に属する基地局の数はいつでも変化する。前記活動集合が基地局の数の変更によって異なるカテゴリーへ変更される場合、新たなカテゴリーを検査して変更されたカテゴリーに従って基地局ＩＤ符号を再び割り当てる。
【００３５】
活動集合が第２カテゴリーから第１カテゴリーへ移動される場合、基地局網は、より優秀な性能を得るために基地局ＩＤ番号を再び割り当てる必要がある。例えば、基地局Ａ、Ｂ、及びＣが第２カテゴリーの活動集合で基地局ＩＤ番号０，１，及び２に対応するＩＤ符号を割り当てられた後、基地局Ｂが活動集合から削除される場合、基地局Ａ及びＣがＩＤ番号０及び２のそれぞれを割り当てられている間、前記活動集合は第１カテゴリーに移動する。さらに優れた性能のために、基地局ＣのＩＤ番号を１に変更する。基地局ＩＤ番号０〜４が第３カテゴリーの活動集合で使用され、その後、ＩＤ番号２を有する基地局が活動集合から削除される場合、前記活動集合は、第２カテゴリーへ変更され、基地局網は、基地局ＩＤ番号０，１，２，及び３を残りの基地局に再び割り当てる。このような再割当ては、図６に示すように、活動集合がカテゴリーを変更させるとき発生する。
【００３６】
図６を参照すると、まず、ステップ６００で、基地局網は、現在の活動集合が更新されたか否かを判断する。前記活動集合が変更されない場合、前記基地局網は、ステップ６１０で活性集合内の基地局ＩＤ符号の現在割当てを保持する。活動集合が更新される場合、前記基地局網は、ステップ６２０で、以前の活動集合及び新たな活動集合カテゴリーＣｐｒｅｖ及び活動集合カテゴリーＣｕｐｄａｔｅを受信する。ステップ６３０で、前記活動集合カテゴリーＣｐｒｅｖ及び活動集合カテゴリーＣｕｐｄａｔｅ が同一である場合、前記基地局網は、ステップ６５０へ進行してＩＤ符号割当てアルゴリズム１を遂行する。すなわち、現在活動集合内である基地局が削除される場合、前記基地局網は、前記基地局のＩＤ番号に対応するＩＤ符号を削除する。新たな基地局が活動集合に追加される場合、基地局網は、新たな基地局に現在活動集合のカテゴリー内で利用可能なＩＤ番号に対応するＩＤ符号を割り当てる。この後、ステップ６６０で、前記基地局網は、新たな基地局にのみ前記割り当てられたＩＤ符号及び活動集合のカテゴリーを伝送する。一方、ステップ６３０で、新たな活動集合カテゴリーＣｐｒｅｖ及び活動集合カテゴリーＣｕｐｄａｔｅが同一ではない場合、ステップ６４０で、前記基地局網は、前記カテゴリーＣｐｒｅｖとカテゴリーＣｕｐｄａｔｅとを比較する。ＣｕｐｄａｔｅがＣｐｒｅｖより大きい場合、ステップ６６２で、基地局網は、ＩＤ符号割当てアルゴリズム１を遂行する。ステップ６６２で、前記基地局網は、削除された基地局に割り当てられたＩＤ符号を削除し、変更されたカテゴリー内で利用可能な新たなＩＤ符号を追加された基地局に割り当てる。ステップ６８０で、前記基地局網は、前記追加された基地局に前記割り当てられたＩＤ符号を送信し、更新された活動集合に属したすべての基地局に変更されたカテゴリーを送信する。
【００３７】
もしも、ＣｐｒｅｖがＣｕｐｄａｔｅより大きい場合、ステップ６４０で、基地局網はこれを認識し、ステップ６７０でＩＤ符号割当てアルゴリズム２を遂行する。ステップ６７０で、前記基地局網は、削除された基地局に割り当てられたＩＤ符号を削除し、変更されたカテゴリー内で利用可能な新たなＩＤ符号を追加された基地局に割り当てる。更新されたカテゴリーに利用できないＩＤ符号をまだ使用している場合、前記ＩＤ符号を削除し、更新されたカテゴリー内で利用可能なＩＤ符号を割り当てる。あるいは、既存のすべてのＩＤ符号が削除でき、その代わり、更新された活動集合に利用可能なＩＤ符号が再び割り当てることができる。ステップ６９０で、前記基地局網は、前記割り当てられたＩＤ符号を前記追加された基地局に送信し、前記変更された活動集合に属したすべての基地局に変更されたカテゴリーを送信する。
【００３８】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００３９】
【発明の効果】
以上から述べてきたように、本発明の移動通信システムにおいて、移動局が基地局を選択するとき使用する基地局ＩＤ符号をＡＧＷＮ及びフェーディング現象を考慮して生成する。従って、移動局が複数の基地局から送信される信号のうちで、一番良好の送信強度の信号を有する基地局が効果的に選択できる。また、活動集合が更新される場合、基地局網は、ＩＤ符号の特性によって、前記更新された活動集合に利用可能な基地局ＩＤ符号を前記更新された活動集合に属する基地局に再び割り当てる。これにより、ＩＤ符号の性能が増加させることができる。
【図面の簡単な説明】
【図１】移動通信システムで基地局選択方式の手順を示す図である。
【図２】ＩＭＴ−２０００標準を基とした逆方向制御チャンネルフレームの構造を示す図である。
【図３】基地局ＩＤ符号を伝送する移動局の概略的なブロック図である。
【図４】移動局で基地局ＩＤ符号を伝送する送信器のブロック図である。
【図５】基地局ＩＤ符号発生器の構造を示す図である。
【図６】活動集合が網で更新されたときの基地局ＩＤ符号の再割当て過程を示すフローチャートである。
【符号の説明】
３０１  主要基地局選択器
３０２  受信器
３０３  アンテナ
３０４  主要基地局ＩＤ符号発生器
３０５  送信器
４００  基地局ＩＤ符号発生器
４０１  多重化器（ＭＵＸ）
４０２〜４０５  専用データチャンネルメッセージ
４０６〜４１３，４１８，４２２〜４２４，５０１〜５０３  乗算器
４１４  第１合算器
４１５  第２合算器
４１６  位相遷移器
４１７，４２４，５０４  加算器
４１９  信号分配器
４２０  第１フィルタ
４２１  第２フィルタ
【図１】
0003550127.tif 000019
【図２】
0003550127.tif 000020
【図３】
0003550127.tif 000021
【図４】
0003550127.tif 000022
【図５】
0003550127.tif 000023
【図６】
0003550127.tif 000024